(57)【特許請求の範囲】
【請求項１】
ロッドアンテナエレメント（２ａ）と、ロッドアンテナエレメント（２ａ）の上方の絶縁ロッド部（１６）と、ロッドアンテナエレメント（２ａ）の下方に電気接続する接続金具（１５）とが、直線上に一体に連結されたロッドアンテナ（２）と、
携帯通信機器の筺体（４）に取り付けられ、中央に穿設されたサポート孔（１０）に、ロッドアンテナ（２）を挿通させて筺体（４）に対して出没自在とするとともに、ロッドアンテナ（２）を筺体（４）から引き出した伸張状態で、ロッドアンテナ（２）の接続金具（１５）に電気接続する給電金具（８）と、
中央に穿設された挿通孔（９ｂ）が、ロッドアンテナ（２）を挿通自在とするように、挿通孔（９ｂ）をサポート孔（１０）と同軸上に配置して、給電金具（８）の上方に取り付けられる絶縁インシュレータ（９）と、
絶縁インシュレータ（９）の外側面に配置されたヘリカルアンテナ（１１）と、
ロッドアンテナ（２）の絶縁ロッド部（１６）に取り付けられ、ロッドアンテナ（２）が筺体（４）内に収納される収納状態で、給電金具（８）に電気接続するとともに、絶縁インシュレータ（９）の肉厚部（９ｄ）を介してヘリカルアンテナ（１１）の基端巻線部（１１ａ）と対向する電極板（１２）とを備え、
収納状態で、ヘリカルアンテナ（１１）の基端巻線部（１１ａ）と給電金具（８）の間に、ヘリカルアンテナ（１１）の基端巻線部（１１ａ）と肉厚部（９ｄ）と電極板（１２）で構成されるコンデンサ（Ｃ１）を形成することを特徴とするアンテナ装置。
【請求項２】
ロッドアンテナ（２）の伸張状態で、接続金具（１５）は、サポート孔（１０）から挿通孔（９ｂ）にかけて挿通する長さに形成され、
ヘリカルアンテナ（１１）の少なくとも一部が、絶縁インシュレータ（９）を介して、接続金具（１５）に対向し、静電的インピーダンス結合で、ロッドアンテナ（２）の接続金具（１５）と並列に電気接続することを特徴とする請求項１記載のアンテナ装置。
【請求項３】
給電金具（８）のサポート孔（１０）内に、ロッドアンテナ（２）の外側面に弾性接触する導電性接触バネ（１３）を収容し、ロッドアンテナ（２）を起立支持したことを特徴とする請求項１又は２のいずれか１項に記載のアンテナ装置。
【発明の詳細な説明】
【０００１】
【発明の属する技術分野】
【０００２】
この発明は、携帯電話機等の携帯通信機器に備えられるアンテナ装置に関し、特に、ロッドアンテナが携帯通信機器の筺体内に出没自在に取り付けられるアンテナ装置に関する。
【０００３】
【従来の技術】
携帯電話機のように、持ち運びながら使用する携帯通信機器においては、移動中にできるだけコンパクトな形状とするように、ロッドアンテナを携帯通信機器の筺体内に収納させるようにしている。
【０００４】
しかしながら、ロッドアンテナを筺体内に収納した状態でも、呼び出し信号等を受信可能な状態として待機する必要があり、ロッドアンテナを筺体内に収納した状態であっても、送受信が可能なアンテナ装置が、例えば特許第２７６４３４９号の特許公報において開示されている。
【０００５】
この従来のアンテナ装置１００を、図７と図８で説明する。これらの図に示すように、携帯通信機器の筺体１０１の上面に、給電金具１０２が取り付けられ、給電金具１０２のサポート孔内に取り付けられた筒状の弾性接触片１０４を通して、ロッドアンテナ１０３が筺体１０１に対して出没できるようになっている。
【０００６】
ロッドアンテナ１０３は、携帯通信機器の使用帯域周波数ｆ０で共振する１／４波長のロッドアンテナエレメントで構成される。ロッドアンテナエレメントの上方は、絶縁被覆により覆われ、絶縁被覆の上端は、収納ストッパーを兼ねる摘み１０３ａとなり、また、下方は、引き出しストッパーを兼ねる接続金具１０３ｂが固着され、周囲が覆われてる。
【０００７】
給電金具１０２の上方には、絶縁カバー１０７内に一体成形された螺旋状のヘリカルアンテナ１０８の基端巻線部が取り付けられている。ヘリカルアンテナ１０８も周波数ｆ０で共振する１／４波長型のアンテナで、その基端巻線部が給電金具１０２に電気接続することにより、給電線１０５を介して回路基板１０６上の空中線結合回路（図示せず）に、常時接続している。
【０００８】
このように構成されたアンテナ装置１００において、ロッドアンテナ１０３を筺体１０１から引き出した図７（ａ）に示す伸張状態では、ロッドアンテナ１０３の接続金具１０３ｂが弾性接触片１０４に接触し、給電金具１０２には、同図（ｂ）に示すように、ロッドアンテナ１０３とヘリカルアンテナ１０８が並列状態で接続される。
【０００９】
また、ロッドアンテナ１０３を筺体１０１内に収納した収納状態では、図８（ａ）に示すように、ロッドアンテナ１０３の絶縁被覆された上方部分が弾性接触片１０４に接触するので、ロッドアンテナ１０３は、給電金具１０２から絶縁された状態となるが、ヘリカルアンテナ１０８は、給電金具１０２に常時接続しているので、同図（ｂ）に示すようにヘリカルアンテナ１０８が、空中線結合回路に接続するアンテナとして作用する。
【００１０】
従って、ロッドアンテナ１０３の収納状態においても、携帯通信機器の使用帯域周波数ｆ０の無線信号を送受信することができる。
【００１１】
【発明が解決しようとする課題】
このように従来のアンテナ装置１００によれば、ロッドアンテナ１０３の収納状態においても送受信が可能となるが、使用帯域周波数とする共振周波数ｆ０において、ヘリカルアンテナ１０８とロッドアンテナ１０３のインピーダンスには大きな差があり、空中線結合回路で、いずれのアンテナともインピーダンスを整合させることは困難なものであった。
【００１２】
図５と図６は、共振周波数ｆ０を９５０ＭＨｚで共振するロッドアンテナとヘリカルアンテナのＳＷＲ（定在波比）を、通常の送受信で使用するロッドアンテナのインピーダンスに整合させる整合回路を用いた場合で、比較して示すものである。
【００１３】
図６に示すように、ロッドアンテナのインピーダンスにマッチングさせると、ロッドアンテナでは、高い利得で送受信が可能であるのに対し、図５に示すヘリカルアンテナでは、共振周波数ｆ０を９５０ＭＨｚにおけるＳＷＲを比較して明らかなように、損失が大きく、充分な利得が得られないという問題があった。
【００１４】
この発明は、以上の問題点を解決するためになされたもので、ロッドアンテナを収納状態であっても、アンテナでの損失が少なく良好な送受信が可能なアンテナ装置を提供することを目的とする。
【００１５】
【課題を解決するための手段】
以上の問題点を解決するため、請求項１のアンテナ装置は、ロッドアンテナエレメントと、ロッドアンテナエレメントの上方の絶縁ロッド部と、ロッドアンテナエレメントの下方に電気接続する接続金具とが、直線上に一体に連結されたロッドアンテナと、携帯通信機器の筺体に取り付けられ、中央に穿設されたサポート孔に、ロッドアンテナを挿通させて筺体に対して出没自在とするとともに、ロッドアンテナを筺体から引き出した伸張状態で、ロッドアンテナの接続金具に電気接続する給電金具と、中央に穿設された挿通孔が、ロッドアンテナを挿通自在とするように、挿通孔をサポート孔と同軸上に配置して、給電金具の上方に取り付けられる絶縁インシュレータと、絶縁インシュレータの外側面に配置されたヘリカルアンテナと、ロッドアンテナの絶縁ロッド部に取り付けられ、ロッドアンテナが筺体内に収納される収納状態で、給電金具に電気接続するとともに、絶縁インシュレータの肉厚部を介してヘリカルアンテナの基端巻線部と対向する電極板とを備え、
収納状態で、ヘリカルアンテナの基端巻線部と給電金具の間に、ヘリカルアンテナの基端巻線部と肉厚部と電極板で構成されるコンデンサを形成する。
【００１６】
絶縁インシュレータの肉厚部は、電極板とヘリカルアンテナの基端巻線部に挟まれた誘電体となり、ヘリカルアンテナの基端側と給電金具間に直列に接続されるコンデンサが形成される。
【００１７】
これにより、ロッドアンテナが筺体内に収納される収納状態において、リアクタンスが不足するヘリカルアンテナのインピーダンスに、コンデンサによるリアクタンスが加わり、ロッドアンテナのインピーダンスに近づく。その結果、ロッドアンテナのインピーダンスに整合させる整合回路を用いて、ヘリカルアンテナについても整合させることができ、アンテナでの損失が少なく良好な送受信が可能となる。
【００１８】
筺体から突出したヘリカルアンテナは、螺旋状に巻回されているので、筺体から大きく突出することなく、携帯通信機器として持ち運ぶ際の障害とならない。
【００１９】
ロッドアンテナが筺体から引き出された伸張状態では、ロッドアンテナの基端部に固着された接続金具が給電金具に電気接続し、ロッドアンテナが、アンテナとして作用する。
【００２０】
請求項２のアンテナ装置は、ロッドアンテナの伸張状態で、接続金具が、サポート孔から挿通孔にかけて挿通する長さに形成され、ヘリカルアンテナの少なくとも一部が、絶縁インシュレータを介して、接続金具に対向し、静電的インピーダンス結合で、ロッドアンテナの接続金具と並列に電気接続することを特徴とする。
【００２１】
ロッドアンテナが筺体から引き出された伸張状態で、ロッドアンテナの接続金具と、ヘリカルアンテナの少なくとも一部が、絶縁インシュレータを介して対向するので、絶縁インシュレータの肉厚部を誘電体とするコンデンサが形成され、静電的インピーダンス結合によって、対向する両者が電気接続する。
【００２２】
一部を給電金具に電気接続させた接続金具の長さを変化させることにより、静電的インピーダンス結合で、接続金具に並列に接続されるヘリカルアンテナの長さも変化し、これにより、ロッドアンテナのインピーダンスを調整できる。
【００２３】
請求項３のアンテナ装置は、給電金具のサポート孔内に、ロッドアンテナの外側面に弾性接触する導電性接触バネを収容し、ロッドアンテナを起立支持したことを特徴とする。
【００２４】
給電金具は、接触バネが伸張状態でロッドアンテナの接続金具と、収納状態で電極板と弾性接触するので、確実に電気接続し、また、ロッドアンテナは、接触バネがその周囲に弾性接触するので、いずれの状態でもがたつきなく起立支持される。
【００２５】
【発明の実施の形態】
以下、本発明の一実施の形態を図１乃至図４により説明する。
【００２６】
図１に示すように、本実施の形態に係るアンテナ装置１は、携帯通信機器を移動させる際に、ロッドアンテナ２を、その上端部に固定した摘み３を残して携帯通信機器の筺体４内に収納した状態（以下単に収納状態という）としている。
【００２７】
この収納状態から通常の通信を行うときには、図２に示すように、摘み３を引き上げ、ロッドアンテナ２を筺体４から引き出した状態（以下単に伸張状態という）とするものである。
【００２８】
図１（ａ）、図２（ａ）において、５は、携帯通信機器の送信回路、受信回路、整合回路を含む空中線結合回路等を構成する高周波回路部品（図示せず）が実装された回路基板であり、回路基板５の空中線結合回路は、給電線６を介して筺体４の上面に取り付けられた取付リング７に電気接続している。尚、本実施の形態において、特に、静電的インピーダンス結合と記載しない限り、電気接続は、直流でも電流が流れる動電的結合を意味する。
【００２９】
取付リング７の内側面には、雌ねじが螺刻され、給電金具８を螺着するようにしている。給電金具８は、その外側面に設けられたフランジ部８ａが筺体４に当接するまで取付リング７にねじ込まれ、筺体４へ取り付けられる。
【００３０】
給電金具８は、中心にサポート孔１０が穿設された略円筒状の金具であり、サポート孔１０に、絶縁インシュレータ９の基端筒部９ａと、ロッドアンテナ２を挿通させ、ロッドアンテナ２を筺体４に対して出没自在としている。サポート孔１０の下方は、縮径され、伸張状態で、後述する接続金具１５の引き出しストッパー１５ａを給電金具８の下端面に当接させるようにしている。
【００３１】
また、拡径されたサポート孔１０の上方には、接触バネ１３は、ベリリウム銅等の弾性金属板で円筒状に形成された接触バネ１３が嵌着される。
【００３２】
接触バネ１３の円筒の側面には、等角度間隔で複数のバネ片が中心軸方向に向けて切り起こされ、この複数のバネ片が、サポート孔１０を挿通するロッドアンテナ２の外側面に、等角度間隔の異なる位置から弾性接触するようになっている。これにより、筺体４から引き出されたロッドアンテナ２は、自重で筺体４内に落下することなく、起立支持される。
【００３３】
絶縁インシュレータ９は、絶縁性合成樹脂で全体がほぼ円筒形に形成されたもので、その中心軸に沿って挿通孔９ｂが形成され、ロッドアンテナ２を挿通自在としている。図示するように、絶縁インシュレータ９は、挿通孔９ｂが、サポート孔１０と同軸線上に配置されるように、基端筒部９ａをサポート孔１０の上方から嵌挿させて、給電金具８上に取り付けられる。
【００３４】
収納状態で、アンテナとして作用するヘリカルアンテナ１１は、使用帯域周波数ｆ０の無線信号を送受信する１／４波長のアンテナとなるように、隣青銅の線材を螺旋状に巻回してなるものである。
【００３５】
ヘリカルアンテナ１１は、基端巻線部１１ａが、絶縁インシュレータ９の基端に外側に張り出された鍔部９ｃ上に配置されるように、円筒形の絶縁インシュレータ９の外側面全体に沿って取り付けられる。基端巻線部１１ａは、鍔部９ｃ上に配置されることにより、給電金具８と絶縁されている。
【００３６】
ヘリカルアンテナ１１が周囲に取り付けられた絶縁インシュレータ９は、全体が截頭円錐形の絶縁カバー１４で覆われる。絶縁カバー１４は、ヘリカルアンテナ１１等の部品を外力から保護するために合成ゴムなどの絶縁性エラストマーで成形され、その基端側の内側面を給電金具８の周囲に螺合させ、給電金具８のフランジ部８ａ上に取り付けられる。絶縁カバー１４の上面には、ロッドアンテナ２の中間より大径で、摘み３より小径の貫通孔１４ａが形成されている。
【００３７】
ロッドアンテナ２は、図３に示すように、チタンニッケル合金のワイヤーで形成されたロッドアンテナエレメント２ａと、その上端に固着される摘み３付き絶縁ロッド１６と、ロッドアンテナエレメント２ａの外側面を覆う絶縁パイプ１７と、ロッドアンテナエレメント２ａの基端の周囲を覆い固着される接続金具１５とで構成されている。
【００３８】
ロッドアンテナエレメント２ａは、基端に固着される接続金具１５とともに、携帯通信機器の使用帯域周波数ｆ０の無線信号について、１／４波長のアンテナとして作用するように、そのワイヤーの太さと長さが定められている。
【００３９】
絶縁ロッド１６は、円柱状に形成され、その外径と長さは、収納状態で、絶縁インシュレータ９の挿通孔９ｂを挿通し、その下端が、給電金具８のサポート孔１０より突出するように設定されている。絶縁ロッド１６の上端には、絶縁ロッド１６より大径の収納ストッパーを兼ねる摘み３が一体に形成され、貫通孔１４ａの周縁に当接することにより、収納状態でのロッドアンテナ２を位置決めし、また、ロッドアンテナ２の筺体４内への落下を防止している。
【００４０】
絶縁ロッド１６の下方には、電極板１２が貼り付けられている。電極板１２は、黄銅等の金属で、円柱状の絶縁ロッド１６の外側面に沿って取り付けられるように円筒状に形成されている。
【００４１】
図１に示すように、収納状態で、電極板１２は、接触バネ１３が弾性接触するサポート孔１０から挿通孔９ｂの下方で、ヘリカルアンテナ１１の基端巻線部１１ａと対向する位置に跨って、ロッドアンテナ２の側面に露出している。
【００４２】
これにより、電極板１２は、接触バネ１３を介して給電金具８に電気接続するとともに、ヘリカルアンテナ１１の基端巻線部１１ａとの間で挟まれた絶縁インシュレータ９の肉厚部９ｄが、誘電体となり、電極板１２と基端巻線部１１ａ及びその間の肉厚部９ｄで、図１（ｂ）に示す所定容量ｃ１のコンデンサＣ１が形成される。従って、ヘリカルアンテナ２は、コンデンサＣ１を介して給電金具８に、静電的インピーダンス結合で電気接続する。
【００４３】
絶縁パイプ１７は、その内方に、ロッドアンテナエレメント２ａを挿通させるもので、ワイヤーで可撓性のロッドアンテナエレメント２ａを直線上に支持するとともに、その周囲を保護し接触バネ１３等から絶縁するものである。
【００４４】
接続金具１５は、その上端で、図２に示すように、絶縁パイプ１７から下方に突き出たロッドアンテナエレメント２ａの基端を絶縁パイプ１７とともに加締めて固着するもので、これにより、ロッドアンテナエレメント２ａと電気接続している。
【００４５】
接続金具１５の形状も、絶縁ロッド１６とほぼ等しい外径の円柱状で、その下端は、拡径された引き出しストッパー１５ａとなっている。引き出しストッパー１５ａの外径は、給電金具８のサポート孔１０の内径より大きく、筺体４より引き出されるロッドアンテナ２は、図２に示す伸張状態で、引き出しストッパー１５ａが給電金具８の下端面に当接し、位置決めされる。
【００４６】
同図に示す伸張状態において、接続金具１５は、サポート孔１０から挿通孔９ｂに達する長さに形成され、下部が接触バネ１３と弾性接触し、給電金具８に電気接続するとともに、接続金具１５の上方は、挿通孔９ｂ内で、絶縁インシュレータ９の肉厚部９ｅを介してヘリカルアンテナ１１の基端巻線部１１ａに対向する。
【００４７】
このように構成されたアンテナ装置の収納状態と伸張状態における作用について説明する。
【００４８】
図１（ａ）に示すように、収納状態において、ロッドアンテナ２の摘み３は、絶縁カバー１４に当接し、ロッドアンテナ２は、筺体４内に収納される。
【００４９】
このとき、ロッドアンテナエレメント２ａも、筺体４内に収納され、絶縁ロッド１６の基端を介して、給電金具８と絶縁されているので、図１（ｂ）に示すように、ロッドアンテナ２は、アンテナとして作用しない。
【００５０】
一方、ロッドアンテナ２の側面に露出する電極板１２は、挿通孔９ｂの下方で、ヘリカルアンテナ１１の基端巻線部１１ａと対向するので、基端巻線部１１ａとの間に、容量ｃ１のコンデンサＣ１が形成され、また、サポート孔１０内で、接触バネ１３が弾性接触する。
【００５１】
従って、図１（ｂ）に示すように、ヘリカルアンテナ１１の基端は、コンデンサＣ１を介して給電金具８に、静電的インピーダンス結合で電気接続し、収納状態であっても、周波数ｆ０で共振する１／４波長型のアンテナとして作用する。リアクタンスが加わることによって、ヘリカルアンテナ１１によるアンテナ全体のインピーダンスは、ロッドアンテナ２のインピーダンスに近づき、ロッドアンテナ２に整合するように整合回路を調整したヘリカルアンテナ１１であっても、ロッドアンテナ２と同程度の高い利得が得られる。
【００５２】
図４は、図５に示す従来のヘリカルアンテナと比較し、同条件でロッドアンテナ２に整合するように整合回路を調整した本実施の形態に係るヘリカルアンテナ１１の周波数特性を示すもので、使用帯域周波数ｆ０である９５０ＭＨｚにおけるＳＷＲを比較して明らかなように、従来に比べて低損失で、高利得のアンテナとして作用する。従って、ロッドアンテナ２を筺体４内に収納した状態であっても、良好な送受信感度が得られる。
【００５３】
図２（ａ）に示すように、収納状態から、摘み３を掴み、接続金具１５の引き出しストッパー１５ａが給電金具８に当接するまで、ロッドアンテナ２を引き出すと、接続金具１５の下部が接触バネ１３と弾性接触する。これにより、ロッドアンテナ２は、接触バネ１３を介して給電金具８に電気接続するので、周波数ｆ０で共振する１／４波長型のアンテナとして作用する。
【００５４】
また、接続金具１５の上方は、絶縁インシュレータ９の肉厚部９ｅを介して基端巻線部１１ａと対向し、図２（ｂ）に示すように、接続金具１５とヘリカルアンテナ１１との間に、肉厚部９ｅを誘電体とするコンデンサＣ２が形成される。従って、接続金具１５の長さを変えることにより、コンデンサＣ２の容量ｃ２と、静電的インピーダンス結合により電気接続するヘリカルアンテナ１１の長さを変化させることができ、ロッドアンテナ２に並列に接続されるインダクタンスとリアクタンスを調整できる。
【００５５】
本発明は、上記実施の形態に限定されることなく、種々変形が可能である。例えば、伸張状態で、接続金具１５をサポート孔１０から絶縁インシュレータ９の挿通孔９ｂまでの長さとせずに、ヘリカルアンテナ１１を給電金具８から静電的にも絶縁させるものであってもよい。
【００５６】
また、電極板１２は、絶縁ロッド１６の側面に露出するもので説明したが、絶縁ロッド１６の内方にインサート成形などで埋め込まれるものであってもよい。
【００５７】
また、絶縁ロッド１６と摘み３は、一体に成形しているが、別々に成形し、ネジ止め等で一体化してもよい。
【００５８】
【発明の効果】
請求項１の発明によれば、ロッドアンテナ２を携帯通信機器の筺体４内に収納した収納状態で、アンテナとして作用するヘリカルアンテナ１１は、絶縁ロッド１６に電極板１２を取り付けるだけで、給電金具との間にコンデンサＣ１を形成できる。従って、ヘリカルアンテナのインピーダンスに、リアクタンスが加わり、ロッドアンテナのインピーダンスに近づき、整合回路をロッドアンテナのインピーダンスに調整した整合回路を用いても、低損失で接続されるヘリカルアンテナ１１となり、良好な送受信が可能となる。
【００５９】
収納状態で、ヘリカルアンテナ１１は、筺体４から大きく突出することなく、携帯通信機器を収容し、持ち運ぶ際の障害とならない。
【００６０】
請求項２の発明によれば、伸張状態で、接続金具１５の長さを変えるだけで、静電的インピーダンス結合により電気接続するヘリカルアンテナ１１の長さと、結合容量ｃ２を変化させることができ、ロッドアンテナ２に並列に接続されるインダクタンスとリアクタンスを調整できる。
【００６１】
請求項３の発明によれば、ロッドアンテナ２の外側面に、接触バネ１３が弾性接触するので、引き出したロッドアンテナ２が筺体４内に落下することなく、起立支持することができる。
【図面の簡単な説明】
【図１】本発明の一実施の形態に係るアンテナ装置１の収納状態を示し、
（ａ）は、一部省略縦断面図、
（ｂ）は、その等価回路図である。
【図２】アンテナ装置１の伸張状態を示し、
（ａ）は、一部省略縦断面図、
（ｂ）は、その等価回路図である。
【図３】アンテナ装置１の各構成部品を示す部分分解断面図である。
【図４】横軸に周波数（ＭＨｚ）を、縦軸に電圧定在波比（ＶＳＷＲ）をとり、収納状態での本実施の形態に係るヘリカルアンテナ１１のアンテナ特性を示す周波数特性図である。
【図５】従来のアンテナ装置にかかるヘリカルアンテナのアンテナ特性を示す周波数特性図である。
【図６】ロッドアンテナのアンテナ特性を示す周波数特性図である。
【図７】従来のアンテナ装置１００の伸張状態を示し、
（ａ）は、一部省略縦断面図、
（ｂ）は、その等価回路図である。
【図８】従来のアンテナ装置１００の収納状態を示し、
（ａ）は、一部省略縦断面図、
（ｂ）は、その等価回路図である。
【符号の説明】
１          アンテナ装置
２          ロッドアンテナ
２ａ        ロッドアンテナエレメント
４          筺体
８          給電金具
９          絶縁インシュレータ
９ｂ        挿通孔
９ｄ        肉厚部
１０        サポート孔
１１        ヘリカルアンテナ
１１ａ      基端巻線部
１２        電極板
１３        接触バネ
１５        接続金具
１６        絶縁ロッド部
Ｃ１          コンデンサ
【図１】
0003595519.tif 000002
【図２】
0003595519.tif 000003
【図３】
0003595519.tif 000004
【図４】
0003595519.tif 000005
【図５】
0003595519.tif 000006
【図６】
0003595519.tif 000007
【図７】
0003595519.tif 000008
【図８】
0003595519.tif 000009